(57)【特許請求の範囲】
【請求項１】
弾球遊技機の遊技盤に装着される入賞装置であって、
前記遊技盤に装着された際にその背面が前記遊技盤の表面に接触する取付板と、軸芯を前記遊技盤の幅方向に沿わせた軸に支持されて起立位置と倒伏位置とに往復揺動可能な開閉板と、該開閉板が前記起立位置にあるときに閉鎖され前記倒伏位置にあるときは開放され、該開放時には前記倒伏している開閉板上を通過してきた遊技球を流入させる入賞開口と、
前記取付板の背面側に開口して前記取付板に設けられた溝であり一端を前記入賞開口に連通させて前記入賞開口の左右に１本ずつ配された軸受溝と、前記軸受溝に１本ずつ挿入されて前記往復揺動可能に前記開閉板を支持する一対の前記軸とを備える入賞装置において、
前記取付板を、前記取付板の外周が含まれる板状のフランジ部と、平坦面である前面を前記フランジ部よりも遊技者側に位置させた板状の突出部との２段構造となし、
前記突出部に前記入賞開口を開設し、
前記軸受溝を前記突出部に至る深さとして、前記一対の軸の軸芯を前記フランジ部の表面よりも前記突出部の前面側になる位置にした
ことを特徴とする入賞装置。
【請求項２】
請求項１記載の入賞装置において、
前記開閉板は、前記起立位置では前記入賞開口の内側に収容されてしまい前記突出部の前面よりも前記遊技者側に突出しない
ことを特徴とする入賞装置。
【発明の詳細な説明】
【０００１】
【発明の属する技術分野】
本発明は、パチンコ機に代表される弾球遊技機の技術分野に属し、詳しくは弾球遊技機に装備される入賞装置に関する。
【０００２】
【従来の技術】
パチンコ機等の弾球遊技機には入賞困難な状態と入賞容易な状態とに変化する可変入賞装置が装備されることが多い。そうした可変入賞装置の一種にアタッカーと呼ばれる形態のものがある。このアタッカーは、起立位置と倒伏位置とに揺動変位可能な開閉板と、開閉板が起立位置にあるときに閉鎖され倒伏位置にあるときは開放され、開放時には倒伏している開閉板上を通過してきた遊技球を流入させる入賞開口とを備えており（例えば特開平１０−２３００２１号公報）、いわゆる大当たり時に開放される大入賞口として使用されることが多い。
【０００３】
【発明が解決しようとする課題】
ところで、遊技盤の寸法が事実上統一されているので、遊技盤に装着される各種の部品例えば入賞装置は、一般的にはできるだけ小さくすることが望まれていた。しかし、遊技者にとっては入賞口（開口幅）は大きいほど好ましいわけで、あまり小さくすることもできなかった。なお、法規上では入賞口の幅が５５ｍｍを越えると（最大値は１３５ｍｍまで）大入賞口とされるので、多少の例外はあるとしても、アタッカーの入賞開口の開口幅は上記の範囲内にされている。こうした事情からアタッカーの小型化を図る際に横幅を小さくするには限度がある。
【０００４】
一方、アタッカーの入賞開口の上下寸法（開口高さ）は遊技球（直径は約１１ｍｍ）が確実に通過できればよいわけで、理論上は１１ｍｍをわずかに超える寸法まで小さくできる。
しかし、この開口高さを小さくした場合、それに合わせて開閉板の高さ（揺動の軸芯から先端までの寸法）も小さくしなければならない。ところが、これを小さくすると、倒伏位置にして入賞開口を開放したときに開閉板の先端と遊技盤を覆うガラス板との間隔が大きくなってしまい、その間隔に遊技球が挟まるおそれがある。
【０００５】
具体的には、遊技盤とガラス板の間隔は約１９ｍｍであるから、倒伏位置にされた開閉板の先端とガラス板との間に遊技球の半径（約５．５ｍｍ）以上の間隔があると、そこに遊技球が停滞するおそれがある。したがって、倒伏位置にされた開閉板の先端が遊技盤の表面から約１４ｍｍ以上突き出す（ガラス板との間隔が約５ｍｍ以下となる）ような寸法とせざるを得ない。なお、ガラス板とガラス枠とのはめ合いには、いわゆるガタがあるので実際にはこの寸法以上である。
【０００６】
当然ながら入賞開口の開口高さは開閉板の寸法に応じたものになるから、入賞開口の開口高さを上記のように小さくすることも困難であった。
また、例えば特開平１０−２３００５１号公報に記載されているように、従来のアタッカーにおいては開閉板の揺動の軸芯を取付板の背後に配していた。このため、揺動の軸芯からガラス板までの距離が大きくなり、それに応じて開閉板の高さ（揺動の軸芯から先端までの寸法）も大きくなっていたので、入賞開口の開口高さを上記のように小さくすることができなかった。
【０００７】
本発明は、アタッカー形式の入賞装置において入賞開口の開口高さを小さくして、入賞装置の上下方向の寸法（高さ）を低減することを図るものである。
【０００８】
【課題を解決するための手段および発明の効果】
上記課題を解決するための請求項１記載の入賞装置は、
弾球遊技機の遊技盤に装着される入賞装置であって、
前記遊技盤に装着された際にその背面が前記遊技盤の表面に接触する取付板と、軸芯を前記遊技盤の幅方向に沿わせた軸に支持されて起立位置と倒伏位置とに往復揺動可能な開閉板と、該開閉板が前記起立位置にあるときに閉鎖され前記倒伏位置にあるときは開放され、該開放時には前記倒伏している開閉板上を通過してきた遊技球を流入させる入賞開口と、
前記取付板の背面側に開口して前記取付板に設けられた溝であり一端を前記入賞開口に連通させて前記入賞開口の左右に１本ずつ配された軸受溝と、前記軸受溝に１本ずつ挿入されて前記往復揺動可能に前記開閉板を支持する一対の前記軸とを備える入賞装置において、
前記取付板を、前記取付板の外周が含まれる板状のフランジ部と、平坦面である前面を前記フランジ部よりも遊技者側に位置させた板状の突出部との２段構造となし、
前記突出部に前記入賞開口を開設し、
前記軸受溝を前記突出部に至る深さとして、前記一対の軸の軸芯を前記フランジ部の表面よりも前記突出部の前面側になる位置にした
ことを特徴とする。
請求項１記載の入賞装置は、取付板をフランジ部と突出部との２段構造となして、突出部に入賞開口を開設し、開閉板を支持する一対の軸が挿入される軸受溝を突出部に至る深さとして、それら一対の軸の軸芯をフランジ部の表面よりも突出部の前面側になる位置にしたので、開閉板の揺動の軸芯からガラス板までの距離を小さくできる。これに応じて開閉板の揺動の軸芯から先端までの寸法を小さくできるから、開閉板の該寸法に対応する入賞開口の開口高さを小さくできる。よって、入賞装置の上下方向の寸法（高さ）を低減することが可能になる。
【０００９】
入賞装置の上下方向の寸法（高さ）を小さくできるから、それに見合った分だけ遊技盤面にゆとりができ、他の部品のレイアウトやデザイン面での自由度が高まる。
【００１０】
また、平坦面である前面をフランジ部よりも遊技者側に位置させた板状の突出部に入賞開口を開設してあるので、起立位置にある開閉板を突出部内に収容する構成、すなわち請求項２に記載のように、前記開閉板は、前記起立位置では前記入賞開口の内側に収容されてしまい前記突出部の前面よりも前記遊技者側に突出しない構成が可能になる。そして、このように構成したことで美観が向上するし、落下してくる遊技球が開閉板に衝突するのも防止できる。
【００１１】
請求項１又は２記載の入賞装置においては、前記一対の軸の軸芯を前記遊技盤の表面から２ｍｍ以上離れる位置にすることが可能で、これに応じて開閉板の揺動の軸芯から先端までの寸法を小さくでき、開閉板の該寸法に対応する入賞開口の開口高さを小さくできる。よって、入賞装置の上下方向の寸法（高さ）を低減することが可能になる。
【００１３】
【発明の実施の形態】
次に、本発明の実施例により発明の実施の形態を説明する。
【００１４】
【実施例】
なお、実施例の説明で参照する図１は実施例のアタッカーの斜視図、図２、図３、図４は分解斜視図、図５は正面及び背面図、図６は縦断面図であある。
入賞装置に該当するアタッカー１１０は、アタッカー１１０を遊技盤（図示しない）に固定するための部材であり、またアタッカー１１０を構成する各部を支持する部材でもある取付板１１１を備えている。
【００１５】
取付板１１１には大入賞口となる入賞開口１１２が開設されている突出部１１１ａと突出部１１１ａを取り囲むフランジ部１１１ｂとが設けられており、図６に示すように突出部１１１ａはフランジ部１１１ｂの表面よりも遊技者側に突出している。
【００１６】
入賞開口１１２には、開閉板に該当するシャッター１１５が背面側から差し込まれている。シャッター１１５は、一対の軸１１６を取付板１１１の軸受溝１１７に挿入されており、その軸受溝１１７に内部体１２５の突起１２４が嵌合して軸１１６の脱落が防止されている。
【００１７】
シャッター１１５は、両軸１１６を中心にして起立位置と倒伏位置とに往復揺動可能で、起立位置では入賞開口１１２を閉鎖し、倒伏位置では開放する。また、倒伏位置では入賞開口１１２の前方に突出するので、上方から落下してくる遊技球を受け止めて、これを入賞開口１１２に導き入れる働きをする。シャッター１１５には梃子受１１８が備わっており、この梃子受１１８を介して作用する力により起立位置と倒伏位置とに往復駆動される（駆動機構については後述）。
【００１８】
軸１１６の軸芯Ｃは、図６に示すように取付板１１１の表面よりも手前（遊技者側）とされており、本実施例の場合取付板１１１のフランジ部１１１ｂの板厚Ｔ１が２ｍｍであり軸芯Ｃは取付板１１１の背面（遊技盤の表面）から３ｍｍの距離にある。なお、突出部１１１ａの突出量は３ｍｍで取付板１１１の背面から突出部１１１ａの表面までの距離Ｔ２は５ｍｍである。
【００１９】
軸１１６の軸芯Ｃが取付板１１１の背面（すなわち遊技盤の表面）から３ｍｍ遊技者側にあるので、その分だけ軸芯Ｃからガラス板までの距離も小さくなっている。これに応じて軸芯Ｃからシャッター１１５の先端までの寸法を小さくできるから、シャッター１１５の該寸法に対応する入賞開口１１２の開口高さを小さくできる。本実施例の場合入賞開口１１２の開口高さは約１８．４ｍｍで、従来品（出願人の製品）と比較して約３ｍｍ小さくなっている。この結果、入賞開口１１２が設けられている部分の上下寸法も小さくできる。本実施例の場合、図５のＤ−Ｄ線による取付板１１１の断面の上下寸法は３８ｍｍであり、従来品よりも約３ｍｍ小さくなっている。
【００２０】
また、シャッター１１５は起立して入賞開口１１２を閉鎖する状態では突出部の内部に収容され、その外面（倒伏させたときに下側になる面）は入賞開口１１２に露出されてはいるが突出部よりも突き出てはいない。
シャッター１１５の背後側にはステージ１２０が配される。ステージ１２０の前面側には段差１２１が設けられている。この段差１２１はシャッター１１５の後縁部（軸よりもステージ１２０側の部分）との干渉を避けるために設けられている。ステージ１２０の中央部１２２は手前（入賞開口１１２側）が高く奥が低い傾斜となり、その左右部分１２３はそれぞれ中央部１２２側を低くする傾斜となっている。ステージ１２０は、その背後の内部体１２５によって保持されている。
【００２１】
内部体１２５には入賞開口１１２に対面する位置に受入室１２６が設けられ、ステージ１２０はこの受入室１２６に収容されている。受入室１２６の奥に配されている内壁１２７には門部１２７ａが開口されており、その奥には門部１２７ａにて受入室１２６と連通する振分部１２８が設けられている。
【００２２】
振分部１２８は横仕切１３０にて上下に分割され、横仕切１３０の下側部分は縦仕切１２９によって左右に分割されている。横仕切１３０には落下口１３１、１３２が設けられ、縦仕切１２９の左右はそれぞれ切欠状になっている。また縦仕切１２９の両サイドにはセンサ保持溝１３３、１３４が設けられており、それぞれＶスイッチ１３９、カウントスイッチ１４０を保持している。これらＶスイッチ１３９及びカウントスイッチ１４０の通過口１３９ａ、１４０ａはそれぞれ落下口１３１、１３２に対応した位置になり、遊技球が落下口１３１から通過口１３９ａを通って、また落下口１３２から通過口１４０ａを通って落下できる。遊技球は通過口１３９ａ、１４０ａを通過する際にスイッチ１３９、１４０を作動させることで検出される。
【００２３】
内部体１２５の背後の正面側から見て右側になる部分にはシャッター１１５を駆動するための機構（開閉機構）が配されている。この開閉機構は、内部体１２５の背面に立設された支持ピン１４３、支持ピン１４３にて軸支される梃子部材１４２、これをカバーする梃子カバー１４４、駆動源となる開閉ソレノイド１４７、開閉ソレノイド１４７を支持するサポート１４５によって構成されている。
【００２４】
梃子部材１４２は軸穴１４２ａ、Ｃ字状の保持部１４２ｂ及びピン部１４２ｃを備えている。軸穴１４２ａは支持ピン１４３に外嵌されており、梃子部材１４２は支持ピン１４３を中心にして回動自在である。保持部１４２ｂはシャッター１１５の梃子受１１８をくわえるようにして保持しており、ピン部１４２ｃは梃子カバー１４４の穴１４４ａを貫通している。開閉ソレノイド１４７のプランジャヘッド１４７ａにはＬ字状の中継部材１４８が取り付けられており、その長穴１４８ａに梃子部材１４２のピン部１４２ｃが挿通されている。これにより、開閉ソレノイド１４７のオン、オフに応じてシャッター１１５を開閉（オンでシャッター１１５を倒しオフで起立させることが）できる。
【００２５】
内壁１２７を挟んでこの開閉機構とは反対側になる位置には、横仕切１３０上に載置された移動体１５４を左右に往復駆動するための往復駆動機構が配されている。なお、移動体１５４の下面には４箇所の突起１５４ａが設けられておりこれら突起１５４ａのみが横仕切１３０に接触している。
【００２６】
往復駆動機構は、内壁１２７の背面に立設された軸ピン１５５、軸ピン１５５に軸支されたスライド梃子１５３、駆動源となる切換ソレノイド１５０、切換ソレノイド１５０を支持するサポート１４９によって構成されている。
スライド梃子１５３は、軸穴１５３ｂ、主軸１５３ｃ及びピン部１５３ａを備えている。軸穴１５３ｂは軸ピン１５５に外嵌されており、スライド梃子１５３は軸ピン１５５を中心にして回動自在である。
【００２７】
切換ソレノイド１５０のプランジャヘッド１５０ａにはＬ字状の中継部材１５１が取り付けられており、その長穴１５１ａにスライド梃子１５３の主軸１５３ｃが挿通されている。そして、主軸１５３ｃから延出されたピン部１５３ａが移動体１５４の上面に立設された梃子穴１５４ｂに挿通されている。
これにより、切換ソレノイド１５０のオン、オフに応じて移動体１５４を左右にスライドさせることができる。
【００２８】
移動体１５４には横長の通過穴１５８が設けられている。この通過穴１５８の短径は遊技球の直径を上回っており、遊技球が通過できる。長径はスイッチ１３９、１４０の通過口１３９ａ、１４０ａの軸間距離よりも十分に長い。また、移動体１５４の前方側（入賞開口１１２側）の縁からは一対の邪魔板１５９、１６０が立設されている。邪魔板１５９、１６０同士の間隔は、スイッチ１３９、１４０の通過口１３９ａ、１４０ａの軸間距離とほぼ等しく、また遊技球の直径の２倍を越えている。邪魔板１５９、１６０の横断面の形状はくさび状であり、前面（入賞開口１１２側の面）は、そこに衝突した遊技球を邪魔板１５９、１６０同士の間隔側へ導くテーパ面１５９ａ、１６０ａとなっている。
【００２９】
そして、移動体１５４を覆うようにして背後体１４６が配されている。背後体１４６には一対のスライドサポート１６１ａ、１６１ｂが備わっている。これらスライドサポート１６１ａ、１６１ｂは横仕切１３０とほぼ一連の面を形成し、左右にスライドした際に横仕切１３０からはみ出した移動体１５４を支える。また、背後体１４６とステージ１２０とで移動体１５４の前後方向の移動を規制している。
【００３０】
移動体１５４は切換ソレノイド１５０のオン、オフに応じて左右にスライドさせられるが、その際に通過穴１５８はスイッチ１３９、１４０の通過口１３９ａ、１４０ａの上方を移動する。
切換ソレノイド１５０がオンのとき（プランジャを引き込んでいるとき）には、邪魔板１６０がステージ１２０から通過口１４０ａに至る経路を遮り、邪魔板１５９がステージ１２０から通過口１３９ａに至る経路より退去した位置になる。このとき、通過穴１５８の邪魔板１６０側の端１５８ｃは通過口１４０ａを移動体１５４に投影した領域とほぼ整合する位置にあり、通過穴１５８から通過口１４０ａへの遊技球の移動を阻害しない。また、通過穴１５８の邪魔板１５９側の端１５８ｂは通過口１３９ａを移動体１５４に投影した領域から十分に外れた位置にある。
【００３１】
一方、切換ソレノイド１５０がオフのとき（プランジャが突き出されているとき）には、邪魔板１５９がステージ１２０から通過口１３９ａに至る経路を遮り、邪魔板１６０がステージ１２０から通過口１４０ａに至る経路より退去した位置になる。このとき、通過穴１５８の邪魔板１５９側の端１５８ｂは通過口１３９ａを移動体１５４に投影した領域とほぼ整合する位置にあり、通過穴１５８から通過口１３９ａへの遊技球の移動を阻害しない。また、通過穴１５８の邪魔板１６０側の端１５８ｃは通過口１４０ａを移動体１５４に投影した領域から十分に外れた位置にある。
【００３２】
こうした構成であるので、切換ソレノイド１５０がオンのときには入賞開口１１２からステージ１２０上に流入した遊技球は通過口１３９ａ方向に導かれる。しかし、邪魔板１６０は通過口１４０ａの前方のみを遮り、縦仕切１２９の上方を遮るわけではないから、遊技球がステージ１２０から縦仕切１２９の上方を通って通過穴１５８から通過口１４０ａに流入できる。本実施例で実験したところ、この状態では入賞開口１１２から流入した遊技球の内ほぼ８０％が通過口１３９ａに流入しほぼ２０％が通過口１４０ａに流入した。
【００３３】
一方、切換ソレノイド１５０がオフのときには入賞開口１１２からステージ１２０上に流入した遊技球は通過口１４０ａ方向に導かれる。しかし、邪魔板１５９は通過口１３９ａの前方のみを遮り、縦仕切１２９の上方を遮るわけではないから、遊技球がステージ１２０から縦仕切１２９の上方を通って通過穴１５８から通過口１３９ａに流入できる。本実施例で実験したところ、この状態では入賞開口１１２から流入した遊技球の内ほぼ８０％が通過口１４０ａに流入しほぼ２０％が通過口１３９ａに流入した。
【００３４】
いずれの場合も、邪魔板１５９、１６０のテーパ面１５９ａ、１６０ａが遊技球を邪魔板１５９、１６０の間に効率よく誘導した。
以上のように、このアタッカー１１０は、移動体１５４を左右に移動させることにより、入賞開口１１２から流入した遊技球すなわち入賞球を通過口１３９ａまたは通過口１４０ａに優先的に誘導できる。
【００３５】
このため、アタッカー１１０の開放初期から特定領域（通過口１３９ａ）に１球以上の入賞球が流入するまでは移動体１５４を図５（ｂ）に示す位置（通過口１４０ａには流入しにくい状態）とし、通過口１３９ａに入賞球が流入した後に移動体１５４を図５（ｄ）に示す位置（通過口１３９ａには流入しにくい状態）とすれば、入賞開口１１２の開放初期に入賞した遊技球は主に特定領域とされている通過口１３９ａに向かうことになるので、いずれか１球が特定領域に流入する可能性は高い。よって、継続開放の可能性が高まるから遊技者の要望に応じることができる。その後に移動体１５４の位置を変えて特定領域とされる通過口１３９ａには流入しにくい状態にすればよい。
【００３６】
このアタッカー１１０は、一対の邪魔板１６０を入賞開口１１２と通過口１４０ａとの間に割り込ませることで通過口１４０ａへ流入しにくくし（このとき他方の邪魔板１５９は入賞開口１１２から通過口１３９ａへ向かう球の移動を邪魔しない位置になっている。）、他方の邪魔板１５９を入賞開口１１２と通過口１３９ａとの間に割り込ませることで通過口１３９ａへ流入しにくくする（このとき邪魔板１６０は入賞開口１１２から通過口１４０ａへ向かう球の移動を邪魔しない位置となっている。）ので、簡単な構成で済む。
【００３７】
また、邪魔板１５９、１６０の入賞開口１１２側の面は、この面に衝突した遊技球を邪魔板１５９、１６０同士の間隔側へ導くテーパ面１５９ａ、１６０ａとされているので、入賞開口１１２を通過した遊技球が邪魔板１５９、１６０の入賞開口１１２側に停滞するおそれはない。
【００３８】
しかも、邪魔板１５９、１６０同士の間隔は２個の遊技球が同時に通過可能な間隔であるから、邪魔板１５９、１６０同士の間隔で遊技球が詰まるおそれもない。
実施例にしたがって本発明の実施の形態を説明したが、本発明はこれらの例に限定されるものではない。
【図面の簡単な説明】
【図１】  実施例のアタッカーの正面側（ａ）及び背面側（ｂ）の斜視図である。
【図２】  図１（ａ）の分解図である。
【図３】  図１（ｂ）の分解図である。
【図４】  図３の下面側からの斜視図である。
【図５】  実施例のアタッカーの開放時及び閉鎖時の説明図であり、図５（ａ）は開放時の正面図、図５（ｂ）は開放時の背後体を撤去した状態の背面図、図５（ｃ）は閉鎖時の正面図、図５（ｄ）は閉鎖時の背後体を撤去した状態の背面図。
【図６】  実施例のアタッカーの縦断面図であり、図６（ａ）は図５（ａ）のＤ−Ｄ断面図、図６（ｂ）は図５（ｃ）のＤ−Ｄ断面図である。
【符号の説明】
１１０ アタッカー（入賞装置）
１１１ 取付板
１１１ａ       突出部
１１１ｂ       フランジ部
１１２ 入賞開口
１１５ シャッター（開閉板）
１１６ 軸
【図１】
0004097243.tif 000002
【図２】
0004097243.tif 000003
【図３】
0004097243.tif 000004
【図４】
0004097243.tif 000005
【図５】
0004097243.tif 000006
【図６】
0004097243.tif 000007